Podtech/llm-jp-corpus-v4-ja_patent huggingface dataset:
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
液体を吐出する第１ノズルと、
前記第１ノズルに連通する第１連通流路と、
第１圧力室と、
前記第１圧力室の圧力を変化させる第１駆動素子と、
前記第１圧力室と前記第１連通流路を接続する第１流路と、
第２圧力室と、
前記第２圧力室の圧力を変化させる第２駆動素子と、
前記第２圧力室と前記第１連通流路を接続する第２流路と、を備える
液体吐出ヘッド。
【請求項２】
前記第１圧力室と共通液室を連通する第１分岐流路と、
前記第２圧力室と共通液室を連通する第２分岐流路と、を備えることを特徴とする請求項１に記載の液体吐出ヘッド。
【請求項３】
前記第１駆動素子と前記第２駆動素子とは、それぞれに印加される駆動パルスによって独立して変位可能な圧電素子であり、
前記第１駆動素子に印加される駆動パルスと、前記第２駆動素子に印加される駆動パルスとは、同位相である
請求項１または請求項２に記載の液体吐出ヘッド。
【請求項４】
前記第１駆動素子と前記第２駆動素子とは、それぞれに印加される駆動パルスによって独立して変位可能な圧電素子であり、
前記第１駆動素子に印加される駆動パルスと、前記第２駆動素子に印加される駆動パルスは、異なる位相である
請求項１または請求項２に記載の液体吐出ヘッド。
【請求項５】
第３圧力室と、
前記第３圧力室の圧力を変化させる第３駆動素子と、
前記第３圧力室と前記第１連通流路を接続する第３流路と、
第４圧力室と、
前記第４圧力室の圧力を変化させる第４駆動素子と、
前記第４圧力室と前記第１連通流路を接続する第４流路と、を更に備えることを特徴とする請求項１から４のいずれか１項に記載の液体吐出ヘッド。
【請求項６】
前記第１圧力室と前記第２圧力室は、第１方向に並んで配置され、
前記第３圧力室と前記第４圧力室は、前記第１方向に並んで配置されることを特徴とする請求項５に記載の液体吐出ヘッド。
【請求項７】
前記第１圧力室と前記第３圧力室は、前記第１方向と交差する第２方向に並んで配置され、
前記第２圧力室と前記第４圧力室は、前記第２方向に並んで配置されることを特徴とする請求項６に記載の液体吐出ヘッド。
【請求項８】
前記第１流路と前記第２流路は、第１方向に並んで配置され、
前記第３流路と前記第４流路は、前記第１方向に並んで配置されることを特徴とする請求項５または６に記載の液体吐出ヘッド。
【請求項９】
前記第１流路と前記第３流路は、前記第１方向と交差する第２方向に並んで配置され、
前記第２流路と前記第４流路は、前記第２方向に並んで配置されることを特徴とする請求項８に記載の液体吐出ヘッド。
【請求項１０】
前記第１ノズルは、前記第１方向における前記第１流路と前記第２流路の間の位置であり、且つ、前記第１方向と交差する第２方向における前記第１流路と前記第３流路の間の位置に配置されることを特徴とする請求項８または９に記載の液体吐出ヘッド。
【請求項１１】
前記第１方向は、前記第１圧力室および前記第２圧力室の延在方向であって、
前記第１方向と交差する第２方向は、前記第１ノズルを含む複数のノズルの配列方向であることを特徴とする請求項６から１０のいずれか１項に記載の液体吐出ヘッド。
【請求項１２】
液体を吐出する第２ノズルであって、前記第１ノズルに対して隣接して設けられた第２ノズルと、
前記第２ノズルに連通する第２連通流路と、
第５圧力室と、
前記第５圧力室の圧力を変化させる第５駆動素子と、
前記第２圧力室と前記第２連通流路を接続する第５流路と、
第６圧力室と、
前記第６圧力室の圧力を変化させる第６駆動素子と、
前記第６圧力室と前記第２連通流路を接続する第６流路と、
第７圧力室と、
前記第７圧力室の圧力を変化させる第７駆動素子と、
前記第７圧力室と前記第２連通流路を接続する第７流路と、
第８圧力室と、
前記第８圧力室の圧力を変化させる第８駆動素子と、
前記第８圧力室と前記第２連通流路を接続する第８流路と、を更に備えることを特徴とする請求項５から１０のいずれか１項に記載の液体吐出ヘッド。
【請求項１３】
前記第５圧力室と前記第６圧力室は、第１方向に並んで配置され、
前記第７圧力室と前記第８圧力室は、前記第１方向に並んで配置されることを特徴とする請求項１２に記載の液体吐出ヘッド。
【請求項１４】
前記第１圧力室と前記第３圧力室と前記第５圧力室と前記第７圧力室は、前記第１方向と交差する第２方向に並んで配置され、
前記第２圧力室と前記第４圧力室と前記第６圧力室と前記第８圧力室は、前記第２方向に並んで配置されることを特徴とする請求項１３に記載の液体吐出ヘッド。
【請求項１５】
前記第１圧力室および前記第２圧力室の延在方向を第１方向とし、
前記第１連通流路のうちの前記第１方向において前記第１ノズルと重なる部分の断面積は、前記第１連通流路のうちの前記第１方向において前記第１ノズルと重ならない部分の断面積よりも大きいことを特徴とする請求項１から１４のいずれか１項に記載の液体吐出ヘッド。
【請求項１６】
請求項１から請求項１５の何れかに記載の液体吐出ヘッドと、
前記液体吐出ヘッド内の液体の流れを制御する制御部と、を備える液体吐出装置。
【請求項１７】
前記制御部は、第１モードと第２モードを実行可能であり、
前記第１モードは、前記第１圧力室から前記第１流路を介して前記第１連通流路へと液体が流れ、且つ、前記第２圧力室から前記第２流路を介して前記第１連通流路へと液体が流れるモードであり、
前記第２モードは、前記第１圧力室から前記第１流路を介して前記第１連通流路へと液体が流れ、且つ、前記第１連通流路から前記第２流路を介して前記第２圧力室へと液体が流れるモードであることを特徴とする請求項１６に記載の液体吐出装置。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
治療効果を判別する補助情報を出力するための判別装置であって、
演算装置を備え、前記演算装置は、
複数の対象者について、うつ病患者と健常者とを分類するための機械学習の特徴量選択の処理において選択される複数の機能的結合の第１の時点の相関と治療開始後であって第１の時点よりも後の第２の時点の相関とがそれぞれ計測されて得られる情報に基づき、前記複数の機能的結合の第１の時点と第２の時点の前記相関の差の各々で張られる相関状態空間において、前記複数の対象者において治療効果がみられた群と治療効果がみられない群とを識別する分類器を予め生成する分類器生成処理を実行し、
第１の時点の被検者の安静時の脳内における、前記複数の機能的結合の第１の相関を算出し、
第２の時点の前記被検者と同一の被検者の安静時の脳内における、前記複数の機能的結合の第２相関を算出し、
前記被検者の前記複数の機能的結合の前記第２の相関と前記第１の相関との差に基づき、前記分類器により、前記被検者に対する治療効果を判別する、うつ病患者における治療効果の判定処理を実行する、ように構成された、判別装置。
【請求項２】
請求項１に記載の判別装置であって、前記複数の機能的結合は、下記表１に示す機能的結合識別番号１〜１２の機能的結合である、判別装置：
【表１】
2019155111.tif 000001
。
【請求項３】
前記複数の機能的結合は、
機能的結合識別番号１の機能的結合、及び機能的結合識別番号２の機能的結合である、請求項２に記載の判別装置。
【請求項４】
前記うつ病は、メランコリー型うつ病である、請求項２又は３に記載の判別装置。
【請求項５】
さらに、ドラッグリプロファイリングのために使用される、請求項２から４のいずれか一項に記載の判別装置。
【請求項６】
請求項２から５のいずれか一項に記載の判別装置の機能をコンピュータに実行させるためのプログラム。
【請求項７】
複数の対象者について、下記表２に示す機能的結合識別番号１〜１２から選択される複数の機能的結合の第１の時点の相関と治療開始後であって第１の時点よりも後の第２の時点の相関とがそれぞれ計測されて得られる情報に基づき、前記複数の機能的結合の第１の時点と第２の時点の前記相関の差の各々で張られる相関状態空間において、前記複数の対象者において治療効果がみられた群と治療効果がみられない群とを識別する分類器を予め生成する工程と、
第１の時点の被検者の安静時の脳内における、前記複数の機能的結合の第１の相関を計測する工程と、
第２の時点の前記被検者と同一の被検者の安静時の脳内における、前記複数の機能的結合の第２相関を計測する工程と、
前記被検者の前記複数の機能的結合の前記第２の相関と前記第１の相関との差に基づき、前記分類器により、前記被検者に対する治療効果を判別する補助情報を生成する工程と、
を含む、うつ病患者における治療効果の判定を補助するための判別方法：
【表２】
2019155111.tif 000002
。
【請求項８】
ドラッグリプロファイリングのために使用される、請求項７に記載の判別方法。
【請求項９】
治療効果を判別する補助情報を出力するための分類器を生成する分類器生成装置であって、
演算装置を備え、前記演算装置は、
複数の対象者について、うつ病患者と健常者とを分類するための機械学習の特徴量選択の処理において選択される複数の機能的結合の第１の時点の相関と治療開始後であって第１の時点よりも後の第２の時点の相関をそれぞれ計測して、前記複数の機能的結合の第１の時点と第２の時点の前記相関の差の各々で張られる相関状態空間において、前記複数の対象者において治療効果がみられた群と治療効果がみられない群とを識別する補助情報を生成するための分類器を生成し、
記憶装置をさらに備え、前記記憶装置は、前記演算装置によって生成された前記分類器を特定するための情報を記憶する、分類器生成装置。
【請求項１０】
請求項９に記載の分類器生成装置であって、前記複数の機能的結合は、下記表３に示す機能的結合識別番号１〜１２の機能的結合である、分類器生成装置：
【表３】
2019155111.tif 000003
。
【請求項１１】
前記対象者は、うつ病に伴う症状を有する、請求項１０に記載の脳活動訓練装置。
【請求項１２】
前記うつ症状は、メランコリー型うつ病に伴う症状である、請求項１１に記載の脳活動訓練装置。
【請求項１３】
複数の対象者について、うつ病患者と健常者とを分類するための機械学習の特徴量選択の処理において選択される複数の機能的結合の第１の時点の相関と治療開始後であって第１の時点よりも後の第２の時点の相関をそれぞれ計測して、前記複数の機能的結合の第１の時点と第２の時点の前記相関の差の各々で張られる相関状態空間において、前記複数の対象者において治療効果がみられた群と治療効果がみられない群とを識別する補助情報を生成するための分類器を生成する工程を備える、分類器生成方法。
【請求項１４】
請求項１３に記載の分類器生成方法であって、前記複数の機能的結合は、下記表４に示す機能的結合識別番号１〜１２の機能的結合である、分類器生成方法：
【表４】
2019155111.tif 000004
。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作機会が付与される受付許容状態を発生させるとともに、該受付許容状態で操作受付がなされると受付後変化を実行可能な受付後変化実行手段と
を備え、
前記受付許容状態では、遊技者による操作の対象を摸した摸画像が表示されうる遊技機であって、
前記受付許容状態には、
チャンネルに割り当てられた演出音の音データが非抑制態様で可聴出力されているなかで操作機会を付与する非抑制許容状態、及び
チャンネルに割り当てられた演出音の音データが抑制態様で可聴出力されているなかで、または該演出音の音データが非可聴の状態にされてから操作機会を付与する抑制許容状態
が含まれており、
前記非抑制許容状態と前記抑制許容状態とのいずれにおいても、その発生に際しては、操作受付が許容される状態になったこと、または操作受付が許容される状態になることを示唆する受付許容音の音データがチャンネルに割り当てられて非抑制態様で可聴出力されうるようになっており、
前記非抑制許容状態と前記抑制許容状態とでは、前記受付後変化として異なる変化が実行されうるようになっており、
さらに、
前記受付許容状態の発生に際しては、操作受付が許容されるタイミングよりも前から特定の前演出表示が表示される場合があり、該特定の前演出表示は、該操作受付が許容されるタイミングを跨るかたちで表示可能とされており、
前記受付許容状態において前記特定の前演出表示が表示されているときに操作受付がなされた場合、該特定の前演出表示は、該操作受付に応じた受付後変化が実行開始される時点で非表示の状態にされておらず表示されており、その後、該受付後変化が実行されているなかで非表示の状態にされる
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
操作機会が付与される受付許容状態を発生させるとともに、該受付許容状態で操作受付がなされると受付後変化を実行可能な受付後変化実行手段と
を備え、
前記受付許容状態では、遊技者による操作の対象を摸した摸画像が表示されうる遊技機であって、
前記受付許容状態には、
チャンネルに割り当てられた演出音の音データが非抑制態様で可聴出力されているなかで操作機会を付与する非抑制許容状態、及び
チャンネルに割り当てられた演出音の音データが抑制態様で可聴出力されているなかで、または該演出音の音データが非可聴の状態にされてから操作機会を付与する抑制許容状態
が含まれており、
前記非抑制許容状態と前記抑制許容状態とのいずれにおいても、その発生に際しては、操作受付が許容される状態になったこと、または操作受付が許容される状態になることを示唆する受付許容音の音データがチャンネルに割り当てられて非抑制態様で可聴出力されうるようになっており、
前記非抑制許容状態と前記抑制許容状態とでは、前記受付後変化として異なる変化が実行されうるようになっており、
さらに、
前記受付許容状態の発生に際しては、操作受付が許容されるタイミングよりも前から特定の前演出表示が表示される場合があり、該特定の前演出表示は、該操作受付が許容されるタイミングを跨るかたちで表示可能とされており、
前記受付許容状態において前記特定の前演出表示が表示されているときに操作受付がなされた場合、該特定の前演出表示は、該操作受付に応じた受付後変化が実行開始される時点で非表示の状態にされておらず表示されており、その後、該受付後変化が実行されているなかで非表示の状態にされる
ことを特徴とする遊技機。
【手続補正書】
【提出日】令和2年12月14日(2020.12.14)
【手続補正１】
【補正対象書類名】明細書
【補正対象項目名】００３０
【補正方法】変更
【補正の内容】
【００３０】
水溶性高分子４７として、例えばポリビニルピロリドン、ポリビニルアルコール、ポリビニルブチラール、デキストリン、ポリエチレンオキシド、水溶性ナイロンなどが挙げられ、これらの中でも、ポリビニルピロリドン、ポリビニルブチラール及びデキストリンから選ばれる１種以上が好ましい。水溶性高分子４７は、１種を単独で、又は２種以上を組み合わせて用いることができる。また、水溶性高分子のうち、特に水溶性、及び吸水性樹脂４３の基材シート２０への固定の観点から、ポリビニルピロリドン、中でもＫ−１５、Ｋ−３０、Ｋ−６０又はＫ−９０のグレードのポリビニルピロリドンを用いることが好ましい。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
１又は複数のコンピュータプロセッサを備え、ゲームを提供するためのサーバであって、
前記１又は複数のコンピュータプロセッサは、読取可能な命令の実行に応じて、
プレイヤ端末の同時接続数が所定の閾値未満である間は、複数のプレイヤ端末の各々の、前記ゲームを進行させるための所定の処理であってプレイヤ端末において入力される入力情報に少なくとも基づいて実行される前記所定の処理の実行モードとして、前記所定の処理をサーバ側で実行する第２のモードを設定する一方、プレイヤ端末の同時接続数が前記所定の閾値以上となった場合に、複数のプレイヤ端末の少なくとも一部の前記所定の処理の実行モードとして、前記所定の処理をプレイヤ端末側で実行する第１のモードを設定するステップと、
前記第１のモードが設定されている特定のプレイヤ端末から、前記特定のプレイヤ端末において入力される特定の入力情報を取得するステップと、
前記特定の入力情報に少なくとも基づいて、不正な処理が実行されたと判定するステップと、を実行し、
前記判定するステップは、不正な処理が実行されたプレイヤ端末に関する情報を更新することを含む、
サーバ。
【請求項２】
前記１又は複数のコンピュータプロセッサは、更に、前記特定の入力情報に少なくとも基づく前記所定の処理の模擬的な実行を１又は複数の他のプレイヤ端末に依頼するステップを実行し、
前記判定するステップは、前記特定のプレイヤ端末及び前記１又は複数の他のプレイヤ端末において前記特定の入力情報に少なくとも基づいてそれぞれ実行される前記所定の処理の実行結果に少なくとも基づいて、不正な処理が実行されたと判定することを含む、
請求項１のサーバ。
【請求項３】
前記１又は複数のコンピュータプロセッサは、更に、複数のプレイヤ端末の中から、所定のルールに従って、前記所定の処理の模擬的な実行を依頼する前記１又は複数の他のプレイヤ端末を選択するステップを実行する、
請求項２のサーバ。
【請求項４】
前記所定のルールは、所定のブラックリストに含まれるプレイヤ端末を除外するというルールを含み、
前記判定するステップは、前記不正な処理が実行されたプレイヤ端末に関する情報として前記所定のブラックリストを更新することを含む、
請求項３のサーバ。
【請求項５】
前記所定のルールは、ゲストアカウントでログインされているプレイヤ端末よりも通常アカウントでログインされているプレイヤ端末を優先して選択するというルールを含む、
請求項３又は４のサーバ。
【請求項６】
前記所定のルールは、前記特定のプレイヤ端末に対応する特定のプレイヤと所定の関係を有する他のプレイヤのプレイヤ端末を除外するというルールを含む、
請求項３ないし５何れかのサーバ。
【請求項７】
前記所定のルールは、前記所定の処理の実行モードとして前記第１のモードが設定されているプレイヤ端末よりも、前記所定の処理の実行モードとして前記第２のモードが設定されているプレイヤ端末を優先して選択するというルールを含む、
請求項３ないし６何れかのサーバ。
【請求項８】
前記所定のルールは、模擬的に実行中の前記所定の処理の数が少ないプレイヤ端末を優先して選択するというルールを含む、
請求項３ないし７何れかのサーバ。
【請求項９】
前記所定のルールは、処理性能が高いプレイヤ端末を優先して選択するというルールを含む、
請求項３ないし８何れかのサーバ。
【請求項１０】
１又は複数のコンピュータによって実行され、ゲームを提供するための方法であって、
プレイヤ端末の同時接続数が所定の閾値未満である間は、複数のプレイヤ端末の各々の、前記ゲームを進行させるための所定の処理であってプレイヤ端末において入力される入力情報に少なくとも基づいて実行される前記所定の処理の実行モードとして、前記所定の処理をサーバ側で実行する第２のモードを設定する一方、プレイヤ端末の同時接続数が前記所定の閾値以上となった場合に、複数のプレイヤ端末の少なくとも一部の前記所定の処理の実行モードとして、前記所定の処理をプレイヤ端末側で実行する第１のモードを設定するステップと、
前記第１のモードが設定されている特定のプレイヤ端末から、前記特定のプレイヤ端末において入力される特定の入力情報を取得するステップと、
前記特定の入力情報に少なくとも基づいて、不正な処理が実行されたと判定するステップと、を備え、
前記判定するステップは、不正な処理が実行されたプレイヤ端末に関する情報を更新することを含む、
方法。
【請求項１１】
ゲームを提供するためのプログラムであって、
１又は複数のコンピュータ上で実行されることに応じて、前記１又は複数のコンピュータに、
プレイヤ端末の同時接続数が所定の閾値未満である間は、複数のプレイヤ端末の各々の、前記ゲームを進行させるための所定の処理であってプレイヤ端末において入力される入力情報に少なくとも基づいて実行される前記所定の処理の実行モードとして、前記所定の処理をサーバ側で実行する第２のモードを設定する一方、プレイヤ端末の同時接続数が前記所定の閾値以上となった場合に、複数のプレイヤ端末の少なくとも一部の前記所定の処理の実行モードとして、前記所定の処理をプレイヤ端末側で実行する第１のモードを設定するステップと、
前記第１のモードが設定されている特定のプレイヤ端末から、前記特定のプレイヤ端末において入力される特定の入力情報を取得するステップと、
前記特定の入力情報に少なくとも基づいて、不正な処理が実行されたと判定するステップと、を実行させ、
前記判定するステップは、不正な処理が実行されたプレイヤ端末に関する情報を更新することを含む、
プログラム。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
化粧用ミラーであって、
２つの長辺と２つの短辺を有するベースパネルの表面のベースミラーと、
第１のサイドパネル及び第２のサイドパネルのそれぞれの表面の第１のサイドミラーと第２のサイドミラーとの間の反射経路であって、前記第１のサイドパネル及び第２のサイドパネルが、前記ベースパネルの前記２つの長辺の対向する平行な縁部に取り付けられた、反射経路と、
を具え、
前記第１のサイドミラー（５４ａ）および前記第２のサイドミラー（５４ｂ）は、前記第１のサイドミラー（５４ａ）と第２のサイドミラー（５４ｂ）との間の菱形（５５）の第１の頂点に対応する位置で物体（Ｅ）の反射を生成し、
前記反射経路は、前記第１の頂点（Ｅ）と、前記第１のサイドミラー（５４ａ）に接触する第２の頂点と、前記第２のサイドミラー（５４ｂ）に接触する第３の頂点と、前記ベースミラー（５２）に接触する第４の頂点とを含み、
前記第１のサイドミラーおよび前記第２のサイドミラーは、焦点長さよりも短い前記第１のサイドミラーおよび前記第２のサイドミラーからの距離を提供するように配向された前記ベースパネルの幅および曲率半径に従って選択される１倍を超える倍率を有することを特徴とする化粧用ミラー。
【請求項２】
請求項１に記載の化粧用ミラーにおいて、
前記第１のサイドミラーおよび前記第２のサイドミラーのそれぞれは、実質的に平坦であることを特徴とする化粧用ミラー。
【請求項３】
請求項１又は２に記載の化粧用ミラーにおいて、
前記第１のサイドミラー及び前記第２のサイドミラーのそれぞれの角度が等しいことを特徴とすることを特徴とする化粧用ミラー。
【請求項４】
請求項１〜３のいずれか一項に記載の化粧用ミラーにおいて、
前記第１のサイドパネル及び前記第２のサイドパネルは、それぞれ、第１のヒンジ及び第２のヒンジを介して前記ベースパネルの前記２つの長辺の対向する平行な縁部に取り付けられていることを特徴とする化粧用ミラー。
【請求項５】
請求項４に記載の化粧用ミラーにおいて、
前記第１および第２のヒンジは、前記第１のサイドパネル及び前記第２のサイドパネルを、選択された角度で閉じた位置と開いた位置との間で互いに対して移動させることを特徴とする化粧用ミラー。
【請求項６】
請求項５に記載の化粧用ミラーにおいて、
前記選択された角度は、前記第１及び第２ヒンジの最大開放位置であることを特徴とする化粧用ミラー。
【請求項７】
請求項５又は６に記載の化粧用ミラー装置において、
前記第１及び第２のヒンジの各々は、前記選択された角度で戻り止めを有することを特徴とする化粧用ミラー。
【請求項８】
請求項１〜７のいずれか一項に記載の化粧用ミラーにおいて、
さらに、前記ベースパネルの背面に取り付け可能なマグネットまたはクリップを具えることを特徴とする化粧用ミラー。
【請求項９】
化粧用ミラー（５０）及びベース（６０）であって、
２つの長辺および２つの短辺を有するベースパネル（５６）の表面にあるベースミラー（５２）であって、足部（５１）を有するベースパネル（５６）と、
第１のサイドパネル（５８ａ）及び第２のサイドパネル（５８ｂ）のそれぞれの表面における第１のサイドミラー（５４ａ）と第２のサイドミラー（５４ｂ）との間の反射経路であって、前記第１のサイドパネル（５８ａ）及び前記第２のサイドパネル（５８ｂ）が、前記ベースパネル（５２）の前記２つの長辺の対向する平行な縁部に取り付けられ、前記第１のサイドミラー（５４ａ）及び前記第２のサイドミラー（５４ｂ）がそれぞれ、前記ベースミラー（５２）に対して鈍角に配置されている、反射経路と、
を有し、
前記第１のサイドミラー（５４ａ）および前記第２のサイドミラー（５４ｂ）は、前記第１のサイドミラー（５４ａ）と第２のサイドミラー（５４ｂ）との間の菱形（５５）の第１の頂点に対応する位置で物体（Ｅ）の反射を生成し、前記反射経路が、前記第１の頂点（Ｅ）と、前記第１のサイドミラー（５４ａ）に接触する第２の頂点と、前記第２のサイドミラー（５４ｂ）に接触する第３の頂点と、前記ベースミラー（５２）に接触する第４の頂点を含む、化粧用ミラー（５０）と、
ベースパネル（６６）及びサイドパネル（６５）を有するベース（６０）であって、孔（６３）が、前記ベースパネル（６６）に形成され、前記ベースミラー（５２）の前記ベースパネル（５６）の前記足部（５１）が前記孔（６３）に適合し、前記サイドパネル（５８ａ、５８ｂ）が前記サイドパネル（６５）の内側に沿うように、前記化粧用ミラー（５０）が前記ベース（６０）に配置される、ベース（６０）と、
を具えることを特徴とする化粧用ミラー及びベース。
【請求項１０】
請求項９に記載の化粧用ミラー（５０）及びベース（６０）において、
前記第１のサイドミラーおよび前記第２のサイドミラーのそれぞれは、実質的に平坦であることを特徴とする化粧用ミラー及びベース。
【請求項１１】
請求項９又は１０に記載の化粧用ミラー（５０）及びベース（６０）において、
前記第１のサイドミラーと前記第２のサイドミラーのそれぞれの角度が等しいことを特徴とする化粧用ミラー及びベース。
【請求項１２】
請求項９〜１１のいずれか一項に記載の化粧用ミラー（５０）及びベース（６０）において、
前記鈍角は１００°から１１０°の範囲であることを特徴とする化粧用ミラー及びベース。
【請求項１３】
請求項９〜１２のいずれか一項に記載の化粧用ミラー（５０）及びベース（６０）において、
さらに、前記ベースパネル（５６）の背面に取り付け可能な磁石またはクリップを具える特徴とする化粧用ミラー及びベース。
【請求項１４】
請求項９に記載の化粧用ミラー（５０）及びベース（６０）において、
前記足部（５１）が前記孔（６３）にスナップフィットすることを特徴とする化粧用ミラー及びベース。
【請求項１５】
請求項９に記載の化粧用ミラー（５０）及びベース（６０）において、
前記足部（５１）が、環状体の形状を有することを特徴とする化粧用ミラー及びベース。
【請求項１６】
請求項９に記載の化粧用ミラー（５０）及びベース（６０）において、
前記化粧用ミラー（５０）が磁石を有し、前記ベース（６０）が鉄系金属のディスクを有し、前記化粧用ミラー（５０）前記がベース（６０）に配置されるときに、前記磁石が前記鉄系金属のディスクに整合することを特徴とする化粧用ミラー及びベース。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向けて遊技球を発射することによって遊技を行う遊技機において、
前記遊技球が所定の検知手段で検知されたことに基づいて、識別情報を変動表示させた後に停止表示させる識別情報表示手段と、
前記識別情報が特定態様で停止表示されると、遊技者にとって有利な特定遊技を実行する特定遊技実行手段と、
前記識別情報の変動表示に伴って、該識別情報が前記特定態様で停止表示される可能性を示唆する示唆演出を表示可能な演出表示部と、
前記演出表示部とは別に設けられて、前記遊技機で行われた遊技に関する遊技情報を表示可能な情報表示部と、
遊技者による入力を検知可能な入力検知手段と
を備え、
前記識別情報の変動表示の開始後に前記入力検知手段で前記入力が検知されたことに基づいて、前記情報表示部では、前記遊技情報を一旦消し去り、当該変動表示で前記遊技者に資する有益情報へと所定時間切り換えて表示可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤に形成された遊技領域に向けて遊技球を発射することによって遊技を行う遊技機において、
前記遊技球が所定の検知手段で検知されたことに基づいて、識別情報を変動表示させた後に停止表示させる識別情報表示手段と、
前記識別情報が特定態様で停止表示されると、遊技者にとって有利な特定遊技を実行する特定遊技実行手段と、
前記識別情報の変動表示に伴って、該識別情報が前記特定態様で停止表示される可能性を示唆する示唆演出を表示可能な演出表示部と、
前記演出表示部とは別に設けられて、前記遊技機で行われた遊技に関する遊技情報を表示可能な情報表示部と、
遊技者による入力を検知可能な入力検知手段と
を備え、
前記識別情報の変動表示の開始後に前記入力検知手段で前記入力が検知されたことに基づいて、前記情報表示部では、前記遊技情報を一旦消し去り、当該変動表示で前記遊技者に資する有益情報へと所定時間切り換えて表示可能である
ことを特徴とする。
【手続補正書】
【提出日】令和3年6月28日(2021.6.28)
【手続補正１】
【補正対象書類名】特許請求の範囲
【補正対象項目名】請求項７
【補正方法】変更
【補正の内容】
【請求項７】
制輪子を車輪の踏面に押し当てることにより車輪に制動力を付与するブレーキ装置であって、
前記制輪子を保持する制輪子頭の傾きの変動を抑制する姿勢制御装置を備え、
前記姿勢制御装置は、摩擦力によって前記傾きを抑制する抑制部と、
前記抑制部を保持する保持部と、
前記保持部に設けられる重り部と、を備える
ブレーキ装置。
【手続補正２】
【補正対象書類名】明細書
【補正対象項目名】０００８
【補正方法】変更
【補正の内容】
【０００８】
上記課題を解決するブレーキ装置は、制輪子を車輪の踏面に押し当てることにより制動力を付与するブレーキ装置であって、前記制輪子を保持する制輪子頭の傾きの変動を抑制する姿勢制御装置を備え、前記姿勢制御装置は、摩擦力によって前記傾きを抑制する抑制部と、前記抑制部を保持する保持部と、前記保持部に設けられる重り部と、を備える。
【手続補正書】
【提出日】令和3年7月8日(2021.7.8)
【手続補正１】
【補正対象書類名】明細書
【補正対象項目名】０００６
【補正方法】変更
【補正の内容】
【０００６】
本発明によるトルクリミッタ付き歯車機構は、軸の一端側の第１キー溝に第１キーを介して固定された第１歯車と、前記第１歯車の内側面の第１切欠き部に設けられ、複数のディテント穴を有する第１板と、前記第１歯車に隣接して設けられた第２歯車の貫通孔内に設けられたボールと、前記軸の第２キー溝内で直動できる第２板と、前記第１、第２板間に配設された第２歯車と、前記第２板の内側面に形成され、前記ディテント穴に接する前記ボールの一面が接する輪状溝と、前記軸の他端側に螺合されたロックナットと、前記軸の外周位置でかつ前記ロックナットの内側に設けられたロックワッシャと、前記ロックワッシャと前記第２板との間に設けられた弾性体を、備え、前記ボールは、前記ディテント穴と前記輪状溝との間に挟持され、前記ロックナットを回転することにより、前記第２板が前記ボール側へ付勢され、前記第１歯車に対する入力トルクが一定以上となった時に、摺動する前記第２歯車と接する前記各板を第１、第２キーにより、軸に対して回転を防止することで、回転する部品を前記第２歯車と前記ボールとし、前記弾性体による力が前記第２板、前記ボール及び前記第１板へ伝達でき、前記第２歯車に軸方向に抑え付ける力を加えないようにした構成であり、また、前記弾性体は、皿バネよりなる構成である。
【手続補正２】
【補正対象書類名】明細書
【補正対象項目名】０００７
【補正方法】変更
【補正の内容】
【０００７】
本発明によるトルクリミッタ付き歯車機構は、以上のように構成されているため、次のような効果を得ることができる。
すなわち、従来のように、高温と低温とで摩擦状態が変化するようなすべり機構を用いるのではなく、入力トルクが一定以上となった時は、ディテント穴７５と輪状溝８５間に保持されたボール６と第２歯車８０が回転して摺動しているため、周囲温度の上、下動変化に関係なく、摺動する第２歯車８０と接する第１板７４及び第２板７４ａをキー７１、７Ａにより軸１に対して回転を防止することで、このような時に回転する部品は第２歯車８０との前記第２歯車８０の貫通孔１００内に挿入されているボール６に限定され、温度の上、下動に伴うすべりトルクをほぼ一定に保つことができる。
また、弾性体９１による力を第２板７４ａとボール６と第１板７４に伝達させ、第２歯車８０に軸方向Ａの付勢力を加えなくて済み、安定したすべりトルクを得ることができる。
また、弾性体９１が、スプリング又は皿バネによって形成されているため、復元力が秀れており、トルクリミッタとしてのリミット精度を保持することができる。
【手続補正３】
【補正対象書類名】特許請求の範囲
【補正対象項目名】全文
【補正方法】変更
【補正の内容】
【特許請求の範囲】
【請求項１】
軸(1)の一端(1A)側の第１キー溝(74aA)に第１キー(71)を介して固定された第１歯車(31)と、前記第１歯車(31)の内側面の第１切欠き部(90)に設けられ、複数のディテント穴(75)を有する第１板(74)と、前記第１歯車(31)に隣接して設けられた第２歯車(80)の貫通孔(100)内に設けられたボール(6)と、前記軸(1)の第２キー溝(82)内で直動できる第２板(74a)と、前記第１、第２板(74,74a)間に配設された前記第２歯車(80)と、前記第２板(74a)の内側面に形成され、前記ディテント穴(75)に接する前記ボール(6)の一面が接する輪状溝(85)と、前記軸(1)の他端(1B)側に螺合されたロックナット(88)と、前記軸(1)の外周位置でかつ前記ロックナット(88)の内側に設けられたロックワッシャ(88A)と、前記ロックワッシャ(88A)と前記第２板(74a)との間に設けられた弾性体(91)を、備え、
前記ボール(6)は、前記ディテント穴(75)と前記輪状溝(85)との間に挟持され、前記ロックナット(88)を回転することにより、前記第２板(74a)が前記ボール(6)側へ付勢され、前記第１歯車(31)に対する入力トルクが一定以上となった時に、摺動する前記第２歯車(80)と接する前記各板(74,74a)を第１、第２キー(71,7A)により、前記軸(1)に対して回転を防止することで、回転する部品を前記第２歯車(80)と、前記ボール(6)とし、前記弾性体(91)による力が前記第２板(74a)、前記ボール(6)及び前記第１板(74)へ伝達でき、前記第２歯車(80)に軸方向(A)に抑え付ける力を加えないように構成されていることを特徴とするトルクリミッタ付き歯車機構。
【請求項２】
前記弾性体(91)は、皿バネよりなることを特徴とする請求項１記載のトルクリミッタ付き歯車機構。
【手続補正書】
【提出日】令和3年6月21日(2021.6.21)
【手続補正１】
【補正対象書類名】特許請求の範囲
【補正対象項目名】請求項７
【補正方法】変更
【補正の内容】
【請求項７】
前記ダンパ部は、前記弾性部材を保持するとともに前記第２回転部材に連結された保持プレートを有し、前記保持プレートは前記第１回転部材と軸方向に対向して配置されており、
前記第１ヒステリシストルク発生機構は、前記第１回転部材と前記保持プレートとの間に配置されている、
請求項１から４のいずれかに記載のダンパ装置。
【手続補正２】
【補正対象書類名】明細書
【補正対象項目名】００２１
【補正方法】変更
【補正の内容】
【００２１】
（７）好ましくは、ダンパ部は、弾性部材を保持するとともに第２回転部材に連結された保持プレートを有し、保持プレートは第１回転部材と軸方向に対向して配置されている。そして、第１ヒステリシストルク発生機構は、第１回転部材と保持プレートとの間に配置されている。
【手続補正３】
【補正対象書類名】明細書
【補正対象項目名】００４７
【補正方法】変更
【補正の内容】
【００４７】
＜外周側スプリング２１及び内周側スプリング２２＞
図４に示すように、外周側スプリング２１は円周方向に並べて配置されている。隣接する外周側スプリング２１の間には中間スプリングシート２７が配置されており、４つの外周側スプリング２１は直列に作用する。４つの外周側スプリング２１の円周方向の端部には、２つの端部スプリングシート２８が配置されている。各スプリングシート２７，２８には、外周側スプリング２１の端部が挿入される筒状部が形成されている。
【手続補正４】
【補正対象書類名】明細書
【補正対象項目名】００４８
【補正方法】変更
【補正の内容】
【００４８】
図４に示されていない他の４つの外周側スプリング２１についても同様である。すなわち、他の４つの外周側スプリング２１は中間スプリングシート２７を介して直列に作用する。また、他の４つの外周側スプリング２１の円周方向の端部には端部スプリングシート２８が配置されている。
【手続補正５】
【補正対象書類名】明細書
【補正対象項目名】００８７
【補正方法】変更
【補正の内容】
【００８７】
以上のように、連結部材６５は、第２フライホイール５２に固定され、外周側スプリング２１及び内周側スプリング２２の出力側の部材として機能する。すなわち、連結部材６５は、第２フライホイール５２とともに、第１フライホイール５１に対して相対回転可能な第２回転部材の一例である。
【手続補正６】
【補正対象書類名】明細書
【補正対象項目名】００９２
【補正方法】変更
【補正の内容】
【００９２】
以上の構成により、第１ヒステリシストルク発生機構５５は、第１フライホイール５１と第２サイドプレート６９（すなわち第２フライホイール５２）との相対回転時に第１ヒステリシストルクを発生する。
【手続補正７】
【補正対象書類名】明細書
【補正対象項目名】０１１２
【補正方法】変更
【補正の内容】
【０１１２】
（ａ）前記実施形態では、摩擦部材を環状の平板で形成したが、図１３に示すように、摩擦部材９０を屈曲した形状にしてもよい。この場合は、摩擦部材９０が当接する相手側部材も同様の形状にする必要がある。
【手続補正８】
【補正対象書類名】明細書
【補正対象項目名】０１１５
【補正方法】変更
【補正の内容】
【０１１５】
１  フライホイール組立体
５０  ダンパ装置
２，５１  第１フライホイール（第１回転転部材）
３，５２  第２フライホイール（第２回転部材）
１１，５８  フライホイール本体（第１プレート）
１２，５９  プレート（第２プレート）
１４，５３  軸受
４，５４  ダンパ部
５，５５，８３  第１ヒステリシストルク発生機構
６，５６  第２ヒステリシストルク発生機構
２１  外周側スプリング（弾性部材）
２２  内周側スプリング（弾性部材）
２３  中間部材
６５  連結部材
３１，３２，６８，６９  サイドプレート（保持プレート）
３８，７１，８４  第１摩擦部材
９０  摩擦部材
３９，８５  第１コーンスプリング
４２  第２摩擦部材
４３  第２コーンスプリング
４５  第３ヒステリシストルク発生機構
７５  通気路
７６  一方向弁
８７，９２，９４，９６  シール用コーンスプリング
【手続補正９】
【補正対象書類名】図面
【補正対象項目名】図４
【補正方法】変更
【補正の内容】
【図４】
2020016264.tif 000001
【手続補正１０】
【補正対象書類名】図面
【補正対象項目名】図９
【補正方法】変更
【補正の内容】
【図９】
2020016264.tif 000002
【手続補正書】
【提出日】令和3年4月21日(2021.4.21)
【手続補正１】
【補正対象書類名】明細書
【補正対象項目名】００２４
【補正方法】変更
【補正の内容】
【００２４】
図３は、プロジェクター１の背面図であり、図４はプロジェクター１の側面視図である。
これらの図に示すように、吊下金具１１の上端は天井固定部材２１により天井面ＬＦに固定され、吊下金具１２の上端は天井固定部材２２により天井面ＬＦに固定される。吊下金具１１、１２は、天井面ＬＦから直下に延び、第１投射ユニット１００及び第２投射ユニット２００に連結される。
【手続補正２】
【補正対象書類名】明細書
【補正対象項目名】００５８
【補正方法】変更
【補正の内容】
【００５８】
図８に示すように、第１投射ユニット１００は、角度センサー１５１、入力部１５２、撮影部１５３、支持部１５、及び、出力インターフェイス１５６を備えてもよい。これらの各部は制御部１１０に接続される。
角度センサー１５１は、第２投射ユニット２００に対する第１投射ユニット１００の相対的な角度を検出する。角度センサー１５１は、吊下金具１１、１２のいずれか１以上と第１投射ユニット１００との相対的な角度を検出するものであってもよい。角度センサー１５１は、例えば、地磁気センサーや角速度センサーで構成される。
【手続補正３】
【補正対象書類名】明細書
【補正対象項目名】００７６
【補正方法】変更
【補正の内容】
【００７６】
画像処理部１１４が実行する処理は、投射画像ＰＰ１の幾何補正処理を含む。画像処理部１１４は、投射画像ＰＰ１が台形歪みを生じる場合に、台形歪みを補正する幾何補正処理を実行する。画像処理部１１４は、投射制御部１１２により指定されるパラメーターに従って幾何補正処理を実行してもよい。或いは、画像処理部１１４が撮影部１５３の撮影画像データを解析することにより、投射画像ＰＰ１の台形歪みの方向と大きさを検出し、幾何補正処理のパラメーターを生成してもよい。
【手続補正４】
【補正対象書類名】明細書
【補正対象項目名】００８４
【補正方法】変更
【補正の内容】
【００８４】
角度センサー２５１、入力部２５２、撮影部２５３、入力インターフェイス２５５、及び、出力インターフェイス２５６は、第１投射ユニット１００での各部と同様の構成と機能を有する。
【手続補正５】
【補正対象書類名】明細書
【補正対象項目名】００９５
【補正方法】変更
【補正の内容】
【００９５】
また、第１投射ユニット１００及び第２投射ユニット２００が外部のケーブル５２により接続され、各投射ユニットがそれぞれ１つのプロジェクターを構成し、全体として投射システム１０を構成する。第１投射ユニット１００は、第２投射ユニット２００に対して第１軸ＡＸ１を中心として回動可能であり、第１画像光ＰＬ１を第１軸ＡＸ１と交差する方向に投射し、第２投射ユニット２００は、第１投射ユニット１００に対して第２軸ＡＸ２を中心として回動可能であり、第２画像光ＰＬ２を第２軸ＡＸ２と交差する方向に投射する。
【手続補正６】
【補正対象書類名】明細書
【補正対象項目名】０１０５
【補正方法】変更
【補正の内容】
【０１０５】
［２．第２実施形態］
図１１及び図１２は、本発明を適用した第２実施形態に係るプロジェクター２の概略構成を示す斜視図であり、プロジェクター２を含んで構成される投射システム２０を示す。
プロジェクター２が設置される設置室ＲＭ、及び、投射対象としての壁面ＷＡ及び床面ＦＬは、上記第１実施形態と同様である。プロジェクター２は、吊下金具１１、１２に固定される。吊下金具１１、１２は第１実施形態と同様に構成され、天井面ＬＦに固定される。また、第１実施形態と共通の構成については、同符号を付して説明を省略する。
【手続補正書】
【提出日】令和3年7月29日(2021.7.29)
【手続補正１】
【補正対象書類名】明細書
【補正対象項目名】００３０
【補正方法】変更
【補正の内容】
【００３０】
測定対象の粒子としては、装置付属の顕微鏡による測定用画面（視野サイズ：横幅１６０μｍ、縦幅１２０μｍ）にトナーが単独で存在しているものを選択する。ただし、変位量の誤差を極力無くすため、粒子径（Ｄ）が個数平均粒径（Ｄ１）の±０．５μｍの範囲にあるもの（Ｄ１−０．５μｍ≦Ｄ≦Ｄ１＋０．５μｍ）を選択する。なお、測定対象粒子の粒径測定は装置付属のソフトを用いてトナーの長径と短径を測定し、［（長径＋短径）／２］をもって粒子径Ｄ（μｍ）とした。また、個数平均粒径は「コールター・カウンター  Ｍｕｌｔｉｓｉｚｅｒ  ３（ベックマン・コールター株式会社製）」により後述する方法にて測定する。
【手続補正２】
【補正対象書類名】特許請求の範囲
【補正対象項目名】全文
【補正方法】変更
【補正の内容】
【特許請求の範囲】
【請求項１】
結着樹脂及び着色剤を含有するトナー粒子を有するトナーであって、
該トナー粒子は有機ケイ素重合体を含有する表層を有し、該有機ケイ素重合体の固着率が９０％以上１００％以下であり、
該トナーは外添剤を有し、外添剤は脂肪酸金属塩であることを特徴とするトナー。
【請求項２】
前記脂肪酸金属塩のトナー粒子に対する固着率が１０％以下である請求項１に記載のトナー。
【請求項３】
前記有機ケイ素重合体の固着率をＡ、前記脂肪酸金属塩のトナー粒子に対する固着率をＢとした場合、（１００−Ａ）／（１００−Ｂ）＝０．０８以下である請求項１又は２に記載のトナー。
【請求項４】
前記脂肪酸金属塩がステアリン酸亜鉛又はステアリン酸カルシウムである請求項１〜３のいずれか１項に記載のトナー。
【請求項５】
前記脂肪酸金属塩がステアリン酸金属塩であり、該ステアリン酸金属塩の体積基準におけるメジアン径（Ｄ５０ｓ）が０．１５μｍ以上１．５μｍ以下である請求項１〜４のいずれか１項に記載のトナー。
【請求項６】
最大荷重２．０×１０-4Ｎの条件で測定したときのマルテンス硬度が、２００ＭＰａ以上１１００ＭＰａ以下である請求項１〜５のいずれか１項に記載のトナー。
【請求項７】
前記有機ケイ素重合体が、式（１）で表される部分構造を有する請求項１〜６のいずれか１項に記載のトナー。
Ｒ−ＳｉＯ3/2        式（１）
（Ｒは炭素数１以上６以下の炭化水素基を示す。）
【請求項８】
前記Ｒが炭素数１以上３以下の炭化水素基である請求項７に記載のトナー。
【手続補正書】
【提出日】令和3年7月12日(2021.7.12)
【手続補正１】
【補正対象書類名】明細書
【補正対象項目名】００４３
【補正方法】変更
【補正の内容】
【００４３】
ここで、https://www.mdthujvfgp.com/、は仲介者のURLの例である。商品識別情報の一例である、my_idを指定することで予め作成していた部品のIDを特定することができる。上述の例では、商品識別情報を示すmy_id=2675D4である。仲介者サーバ２０からはユーザー（購入者）のブラウザで実行できるプログラムをダウンロードして自動的に実行される。つまり、仲介サーバー20で実行される処理をブラウザで行うことも可能である。たとえば、残高確認のためにblock chainにブラウザから直接問い合わせたり、決済したりする実装も可能である。
【手続補正２】
【補正対象書類名】図面
【補正対象項目名】図１
【補正方法】変更
【補正の内容】
【図１】
2020016980.tif 000001
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
複数の端末装置の各々から、放音装置により放音されて当該端末装置が収音した音声を示す音声情報を受信し、
前記複数の端末装置の各々から受信した前記音声情報を、当該音声情報が示す音声とともに当該端末装置が収音した音の分類を示す分類情報に対応付けて記憶装置に記憶する
コンピュータにより実現される情報処理方法。
【請求項２】
前記記憶装置に記憶された複数の音声情報を利用して提供情報を生成し、
前記提供情報を端末装置に送信する
請求項１の情報処理方法。
【請求項３】
前記複数の端末装置の各々から前記分類情報を受信し、
前記音声情報の記憶においては、前記複数の端末装置の各々から受信した前記音声情報を、当該端末装置から受信した前記分類情報に対応付けて前記記憶装置に記憶する
請求項１または請求項２の情報処理方法。
【請求項４】
前記複数の端末装置の各々から、当該端末装置が収音した音を表す音響信号を受信し、
前記端末装置から受信した前記音響信号の解析により前記分類情報を生成する
請求項１または請求項２の情報処理方法。
【請求項５】
複数の端末装置の各々から、放音装置により放音されて当該端末装置が収音した音声を示す音声情報を受信する動作を通信装置に実行させる通信制御部と、
前記複数の端末装置の各々から受信した前記音声情報を、当該音声情報が示す音声とともに当該端末装置が収音した音の分類を示す分類情報に対応付けて記憶装置に記憶させる記憶制御部と
を具備する情報処理装置。
【請求項６】
収音装置を具備する端末装置が、
放音装置により放音されて前記収音装置が収音した音声を示す音声情報と、当該音声情報が示す音声とともに前記収音装置が収音した音の分類を示す分類情報とを生成し、
複数の端末装置の各々から受信した音声情報と分類情報とを対応付けて記憶する情報処理装置に対し、前記生成した音声情報および分類情報を送信する
端末装置の動作方法。
【請求項７】
収音装置と、
放音装置により放音されて前記収音装置が収音した音声を示す音声情報と、当該音声情報が示す音声とともに前記収音装置が収音した音の分類を示す分類情報とを、複数の端末装置の各々から受信した音声情報と分類情報とを対応付けて記憶する情報処理装置に対して送信する通信装置と
を具備する端末装置。
【請求項８】
収音装置を具備する端末装置のコンピュータに、
放音装置により放音されて前記収音装置が収音した音声を示す音声情報と、当該音声情報が示す音声とともに前記収音装置が収音した音の分類を示す分類情報とを、複数の端末装置の各々から受信した音声情報と分類情報とを対応付けて記憶する情報処理装置に対して送信する動作
を実行させるプログラム。
【手続補正２】
【補正対象書類名】明細書
【補正対象項目名】発明の名称
【補正方法】変更
【補正の内容】
【発明の名称】情報処理方法、情報処理装置、端末装置の動作方法、端末装置およびプログラム